(57)【要約】【課題】導光体の光損失を抑え、指針の照明効率を向上させることが可能な計器装置を提供する。【解決手段】回路基板１と、この回路基板１の観察者側の面に搭載される本体部２１とこの本体部２１から観察者側に向けて突出して延びる指針軸２３とを備えた駆動装置２と、指針軸２３に連結され計測量に応じて軸回り回転する指針３と、この指針３と本体部２１との間に配置され指針３に対応した指標部４１が形成される表示板４と、回路基板１の観察者側の面であって本体部２１の周囲に配置される光源５と、この光源５の光を指針３に導く透光性材料からなる導光体６と、表示板４と回路基板１との間に配置される反射部材７とを備え、反射部材７に本体部２１と導光体６との間に介在する壁部７３を設け、この壁部７３（第２の壁部７５）に導光体６（第２の導光部６３）を受容する溝部７６を設けた。【選択図】図２
2008122125.tif 000002
【特許請求の範囲】
【請求項１】
回路基板と、
この回路基板の観察者側の面に搭載される本体部とこの本体部から前記観察者側に向けて突出して延びる指針軸とを備えた駆動装置と、
前記指針軸に連結され計測量に応じて軸回り回転する指針と、
この指針と前記本体部との間に配置され前記指針に対応した指標部が形成される表示板と、
前記回路基板の前記観察者側の面であって前記本体部の周囲に配置される光源と、
この光源の光を前記指針に導く透光性材料からなる導光体と、
前記表示板と前記回路基板との間に配置される反射部材とを備え、
前記反射部材に前記本体部と前記導光体との間に介在する壁部を設け、この壁部に前記導光体を受容する溝部を設けたことを特徴とする計器装置。
【請求項２】
前記壁部が前記本体部の前記観察者側の面を覆う被覆部を有し、この被覆部に前記溝部を設けたことを特徴とする請求項２記載の計器装置。
【請求項３】
前記溝部の周囲に位置する前記被覆部箇所が前記表示板を受ける受面として形成されていることを特徴とする請求項２記載の計器装置。
【発明の詳細な説明】
【技術分野】
【０００１】
本発明は、例えば自動車、オートバイ、船舶をはじめとする移動体に組み込まれ、回転する指針にて計測量を表示する計器装置に関し、特に指針の照明構造の改良に関する。
【背景技術】
【０００２】
この種の計器装置として、例えば下記特許文献１に記載されているものが知られている。この計器装置は、回路基板と、この回路基板の観察者側の面に搭載される本体部とこの本体部から観察者側に向けて突出して延びる指針軸とを備えた駆動装置（例えばステッピングモータからなる）と、指針軸に連結され計測量に応じて軸回り回転する透光性材料からなる指針と、この指針と本体部との間に配置され指針に対応した指標部が形成される表示板と、回路基板の前記観察者側の面であって本体部の周囲に配置される光源（例えば発光ダイオードからなる）と、この光源の光を指針に導く透光性材料からなる導光体と、表示板と回路基板との間に配置される反射部材（光反射性が良好な例えば乳白色の遮光性材料からなる）とを備えており、光源が発光すると、その光を反射部材を通じて表示板の指標部に導くと共に導光体を通じて指針に導いて、指標部と指針とを発光させるようになっている。
【特許文献１】特開平７−１１３６６３号公報
【発明の開示】
【発明が解決しようとする課題】
【０００３】
しかしながら、特許文献１記載の計器装置は、本体部を迂回するように導光体を配置するだけであるため、導光体内を進む光が外部に抜けることで光損失が生じすく、また本体部の材料色（光反射率の低い色の材料が使用されていた場合）や造形（材料自体の色は問題なくても凹凸等の存在により導光体からの光の抜けを充分に抑制できない場合）が影響して指針の照明効率が低下してしまうという問題があった。
【０００４】
本発明は、この点に鑑みてなされたもので、その主な目的は、指針の照明効率を向上させることが可能な計器装置を提供するものである。
【課題を解決するための手段】
【０００５】
本発明は、前記目的を達成するため、回路基板と、この回路基板の観察者側の面に搭載される本体部とこの本体部から前記観察者側に向けて突出して延びる指針軸とを備えた駆動装置と、前記指針軸に連結され計測量に応じて軸回り回転する指針と、この指針と前記本体部との間に配置され前記指針に対応した指標部が形成される表示板と、前記回路基板の前記観察者側の面であって前記本体部の周囲に配置される光源と、この光源の光を前記指針に導く透光性材料からなる導光体と、前記表示板と前記回路基板との間に配置される反射部材とを備え、前記反射部材に前記本体部と前記導光体との間に介在する壁部を設け、この壁部に前記導光体を受容する溝部を設けたことを特徴とする。
【０００６】
また本発明は、前記壁部が前記本体部の前記観察者側の面を覆う被覆部を有し、この被覆部に前記溝部を設けたことを特徴とする。
【０００７】
また本発明は、前記溝部の周囲に位置する前記被覆部箇所が前記表示板を受ける受面として形成されていることを特徴とする。
【発明の効果】
【０００８】
本発明によれば、初期の目的を達成でき、導光体の光損失を抑え、指針の照明効率を向上させることが可能な計器装置を提供することができる。
【発明を実施するための最良の形態】
【０００９】
図１から図４は、本発明の一実施形態を示すもので、図１は本発明による計器装置の正面図、図２は図１のＡ−Ａ断面図、図３は指針と表示板の取り外し状態を示す正面図、図４は図３のＢ−Ｂ断面図である。
【００１０】
本実施形態による計器装置は、例えば自動車のダッシュボードに搭載されるもので、回路基板１と、駆動装置２と、指針３と、表示板４と、光源５と、導光体６と、反射部材７とを備える。なお表示板の観察者側の面には本来、化粧フレームや透視カバーが配置されるが、本例では省略している。
【００１１】
回路基板１は、周知の硬質配線基板からなるもので、図示しない配線パターンに光源５と駆動装置２が導通接続されている。
【００１２】
駆動装置２は、例えばステッピングモータからなるもので、回路基板１の観察者側の面（図２中、上側の面）に搭載され、コイルボビン、ヨーク、マグネット等の主要部を収納する本体部２１と、この本体部２１の観察者側の面２２から観察者側に向けて突出して延びる指針軸２３とを備えている。
【００１３】
指針３は、指針軸２３に連結され計測量に応じて軸回り回転するもので、表示板４に沿って延びる棒状の指示部３１が透光性材料から形成されており、この指示部３１の指針軸２３側、すなわち回転中心部には図示しないが、光源５からの光を受光することで指示部３１全体を発光させるための指針受光部が形成されている。
【００１４】
表示板４は、指針３と本体部２１との間に配置された周知な印刷パネルからなり、指針３に対応した指標部４１が形成されている。
【００１５】
光源５は、例えば発光ダイオードからなるもので、回路基板１の観察者側の面であって本体部２１の周囲に配置されている。なお光源５は、反射部材７を通じて表示板４を照らすための光源５と、導光体６を通じて指針３の指示部３１を照らすための光源５に大別され、それぞれが複数個づつ配置されている。
【００１６】
導光体６は、例えば透光性合成樹脂材料からなるもので、全体が本体部２１を迂回してブリッジ状に延びる長尺板形状に形成されている。この導光体６は、光源５に対向しその光を集光して取り入れる受光部６１と、この受光部６１から導入した光を指針軸２３の軸方向に導光する第１の導光部６２と、この第１の導光部６２の表示板４側端部から略９０度屈曲して延びる第２の導光部６３と、この第２の導光部６３と第１の導光部との接続部分に形成され第１の導光部６１を進行する光を第２の導光部６３に向けて反射する第１の反射部６４と、第２の導光部６３の指針軸２３側部分に形成され第２の導光部６３を通じて導いた光を指針３に向けて反射する例えば円錐面形状の第２の反射部６５と、この第２の反射部６５にて反射された光を指針３に向けて照射する凸部形状の照射部６６とから構成されている。
【００１７】
反射部材７は、例えば乳白色等の反射色を有する合成樹脂材料からなり、表示板４と回路基板１との間に配置され表示板４を背後から支持している。この反射部材７は、表示板４と空間部を隔てて対向するリフレクター部７１と、回路基板５上に配置された光源５を露出させる貫通部７２と、本体部２１と導光体６との間に介在する壁部７３とを備えている。
【００１８】
壁部７３は、本体部２１を収容できるよう回路基板１側に開口する逆カップ形状に形成され、指針軸２３を基準としたとき本体部２１の放射方向側面２４を覆う第１の壁部７４と、本体部２１の観察者側の面２２を覆う第２の壁部（被覆部）７５とを有している。
【００１９】
第１の壁部７４は、本体部２１の周壁の全周を覆い、リフレクター部７１と共に表示板４の指標部４１を照らすための照明室を形成する。
【００２０】
第２の壁部７５は、第２の導光部６３と本体部２１の観察者側の面２２との間に介在し、その第２の導光部６３に対応する箇所には、第２の導光部６３を受容する溝部７６が形成され（図４参照）、この溝部７６に第２の導光部６３を配置することにより、第２の導光体６３の底部（本体部２１の観察者側の面２２を向く側）と両側部（底部を挟んで対面する各側面）とを覆い、これにより溝部７６壁面の反射を通して第２の導光部６３からの光の抜け（透過もしくは出射）を抑制し、光の損失を抑えている。
【００２１】
さらに第２の壁部７５には、指針軸２３と指針３との連結を可能とする貫通孔７７が形成され、この貫通孔７７と溝部７６を除く溝部７６の周囲箇所が表示板４を受ける受面として形成されており（図４参照）、この受面によって表示板４を確実に保持している。
【００２２】
以上のように、本実施形態では、回路基板１と、この回路基板１の観察者側の面に搭載される本体部２１とこの本体部２１から観察者側に向けて突出して延びる指針軸２３とを備えた駆動装置２と、指針軸２３に連結され計測量に応じて軸回り回転する指針３と、この指針３と本体部２１との間に配置され指針３に対応した指標部４１が形成される表示板４と、回路基板１の観察者側の面であって本体部２１の周囲に配置される光源５と、この光源５の光を指針３に導く透光性材料からなる導光体６と、表示板４と回路基板１との間に配置される反射部材７とを備え、反射部材７に本体部２１と導光体６との間に介在する壁部７３を設け、この壁部７３（第２の壁部７５）に導光体６（第２の導光部６３）を受容する溝部７６を設けたことにより、導光体６の光損失を抑え、指針３の照明効率を向上させることができる。
【００２３】
特に本体部２１の外壁部の材料色として、光反射率の低い色が使用されていた場合や材料自体の色は問題なくても本体部２１の外壁部の造形として、凹凸等が存在し導光体６からの光の抜けを充分に抑制できない場合、照明の明るさ不足等の悪影響がでやすいが、このような悪影響を、溝部７６に導光体６を受容することで解消できるというメリットがある。
【００２４】
また本実施形態では、壁部７３が本体部２１の観察者側の面２２を覆う第２の壁部（被覆部）７５を有し、この第２の壁部７５に溝部７６を設けたことにより、導光体６の厚みを溝部７６で吸収でき、これにより薄型化を達成することができる。
【００２５】
また本実施形態では、溝部７６の周囲に位置する第２の壁部７５箇所が表示板４を受ける受面として形成されているにより、表示板４を安定的且つ確実に支持することができる。
【００２６】
なお本実施形態では、壁部７３を第１，第２の壁部７４，７５を有する逆カップ形状に形成したが、壁部７３の形状は、本体部２１と導光体６との間に介在するものであれば任意である。
【００２７】
また本実施形態では、第２の壁部７５に溝部７６を設けたが、第１の壁部７４に設けてもよい。
【図面の簡単な説明】
【００２８】
【図１】本発明の一実施形態による計器装置の正面図。
【図２】図１のＡ−Ａ断面図。
【図３】同実施形態における指針と表示板の取り外し状態を示す正面図。
【図４】図３のＢ−Ｂ断面図。
【符号の説明】
【００２９】
１  回路基板
２  駆動装置
３  指針
４  表示板
５  光源
６  導光体
７  反射部材
２１  本体部
２２  面
２３  指針軸
３１  指示部
４１  指標部
６１  受光部
６２  第１の導光部
６３  第２の導光部
６４  第１の反射部
６５  第２の反射部
６６  照射部
７１  リフレクター部
７２  貫通部
７３  壁部
７４  第１の壁部
７５ 第２の壁部（被覆部）
７６  溝部
７７  貫通孔
【図１】
2008122125.tif 000003
【図２】
2008122125.tif 000004
【図３】
2008122125.tif 000005
【図４】
2008122125.tif 000006